(57)【要約】【課題】金属性の異物を良好に検出できるようにしながらも、機器に悪影響を及ぼす虞が少ない用紙搬送装置を提供する。【解決手段】用紙Ｐを搬送する搬送路Ｂに電磁誘導式の金属検出手段Ｃを設け、  前記金属検出手段Ｃを構成するに、  前記搬送路Ｂ側の面が一方の磁極でありかつ前記搬送路Ｂと反対側の面が他方の磁極である磁場発生部材ＪＨと、前記搬送路Ｂ側の面を前記搬送路Ｂに近接しかつ前記搬送路Ｂと反対側の面を前記磁場発生部材ＪＨにおける一方の磁極に接触させた軟磁性体１１と、その軟磁性体１１に巻回するコイル部材１２と、そのコイル部材１２の誘導起電力を検出する誘導起電力検出手段ＹＫとを設けてあり、  前記磁場発生部材ＪＨにおける前記搬送路Ｂと反対側の面１０ｂの面積よりも前記軟磁性体１１における前記搬送路Ｂ側の面１１ａの面積のほうを小さくすることにより、前記軟磁性体１１を前記磁場発生部材ＪＨの一方の磁極における磁束を集中させる磁場集中部材ＪＳに構成してある。【選択図】図４
2009166952.tif 000002
【特許請求の範囲】
【請求項１】
用紙を搬送する搬送路に電磁誘導式の金属検出手段を設けた用紙搬送装置であって、
前記金属検出手段を構成するに、
前記搬送路側の面が一方の磁極でありかつ前記搬送路と反対側の面が他方の磁極である磁場発生部材と、前記搬送路側の面を前記搬送路に近接しかつ前記搬送路と反対側の面を前記磁場発生部材における一方の磁極に接触させた軟磁性体と、その軟磁性体に巻回するコイル部材と、そのコイル部材の誘導起電力を検出する誘導起電力検出手段とを設けてあり、
前記磁場発生部材における前記搬送路と反対側の面の面積よりも前記軟磁性体における前記搬送路側の面の面積のほうを小さくすることにより、前記軟磁性体を前記磁場発生部材の一方の磁極における磁束を集中させる磁場集中部材に構成してある用紙搬送装置。
【請求項２】
前記磁場発生部材を偏平状の硬磁性体により構成することにより、前記磁場発生部材における前記搬送路側の面を一方の磁極にし、かつ、前記搬送路と反対側の面を他方の磁極にしてある請求項１に記載の用紙搬送装置。
【請求項３】
前記磁場発生部材を、前記搬送路に沿いかつ前記搬送路における幅方向の両側に亘る長尺状に構成してあり、前記磁場集中部材を、前記磁場発生部材の長手方向に間隔を隔てて複数設けてある請求項１又は２に記載の用紙搬送装置
【請求項４】
用紙を搬送する搬送路に電磁誘導式の金属検出手段を設けた用紙搬送装置であって、
前記金属検出手段を構成するに、
一方の磁極を前記搬送路に近接し、かつ、他方の磁極を前記搬送路と反対側に配置してある磁場発生部材と、その磁場発生部材に巻回するコイル部材と、そのコイル部材の誘導起電力を検出する誘導起電力検出手段とを設け、前記磁場発生部材における他方の磁極に接触させる軟磁性体を設け、
前記磁場発生部材における前記搬送路側の面の面積よりも前記軟磁性体における前記搬送路と反対側の面の面積のほうを大きくすることにより、前記軟磁性体を前記磁場発生部材の他方の磁極における磁束を分散させる磁場分散部材に構成してある用紙搬送装置。
【請求項５】
前記磁場分散部材を偏平状に構成し、前記磁場発生部材を硬磁性体により構成するか、又は、前記磁場発生部材を軟磁性体に構成しかつ前記コイル部材に電流を流すことにより、前記磁場発生部材における前記搬送路側の面を一方の磁極にし、かつ、前記搬送路と反対側の面を他方の磁極にしてある請求項４に記載の用紙搬送装置。
【請求項６】
前記金属検出手段を、前記搬送路の搬送方向に沿って移動可能に構成してある請求項１〜５のいずれか１項に記載の用紙搬送装置。
【発明の詳細な説明】
【技術分野】
【０００１】
本発明は、用紙を搬送する搬送路に電磁誘導式の金属検出手段を設けた用紙搬送装置に関する。
【背景技術】
【０００２】
かかる用紙搬送装置は、画像形成装置等の機器に組み込まれて、トレイに積載された用紙を搬送するように構成されたものである。そして、搬送路に設けた電磁誘導式の金属検出手段により搬送路に沿って搬送される用紙に付着した金属性の異物（例えばホッチキスやクリップ）を非接触で検出することにより、金属検出手段が異物に接触して損傷することを回避しながら金属性の異物を検出できるようにしたものである。
【０００３】
従来、この種の用紙搬送装置では、金属検出手段を搬送路の幅方向に間隔を隔てて複数取り付けてあるものがあった（例えば、特許文献１参照。）。
【０００４】
【特許文献１】特開平９−７７２８２号公報
【発明の開示】
【発明が解決しようとする課題】
【０００５】
ところで、金属検出手段として、例えば、磁場発生部材としての磁性体にコイルを巻回し、コイルの誘導起電力を検出することにより、金属を検出するものがある。説明を加えると、金属がコイルに近接すると、電磁誘導の法則により金属に渦電流が発生し、その渦電流により発生する磁束の一部がコイルに鎖交し、コイルに鎖交する磁束による誘導起電力がコイルに発生するので、コイルの誘導起電力を検出することにより、金属を非接触で検出できるものとなる。
【０００６】
このような金属検出手段を設けるにあたり、磁性体における搬送路側の磁束密度が高くなるので、金属の検出感度を高めることができるものの、磁性体における搬送路と反対側の磁束密度も高くなるので、金属検出手段の設置箇所によっては、用紙搬送装置が組み込まれた画像形成装置等の機器に悪影響を及ぼす虞があった。つまり、例えば、金属検出手段が画像形成装置の自動原稿送り装置に設けられる場合において、自動原稿送り装置が備える接触式イメージセンサ（ＣＩＳ）等の電子部品のＳ／Ｎ比が小さくなる虞があった。
【０００７】
本発明は、上記実状に鑑みて為されたものであって、その目的は、金属性の異物を良好に検出できるようにしながらも、機器に悪影響を及ぼす虞が少ない用紙搬送装置を提供する点にある。
【課題を解決するための手段】
【０００８】
本発明の用紙搬送装置は、用紙を搬送する搬送路に電磁誘導式の金属検出手段を設けたものであって、その第１特徴構成は、前記金属検出手段を構成するに、前記搬送路側の面が一方の磁極でありかつ前記搬送路と反対側の面が他方の磁極である磁場発生部材と、前記搬送路側の面を前記搬送路に近接しかつ前記搬送路と反対側の面を前記磁場発生部材における一方の磁極に接触させた軟磁性体と、その軟磁性体に巻回するコイル部材と、そのコイル部材の誘導起電力を検出する誘導起電力検出手段とを設けてあり、前記磁場発生部材における前記搬送路と反対側の面の面積よりも前記軟磁性体における前記搬送路側の面の面積のほうを小さくすることにより、前記軟磁性体を前記磁場発生部材の一方の磁極における磁束を集中させる磁場集中部材に構成してある点にある。
【０００９】
すなわち、磁場発生部材における搬送路側の面（一方の磁極）の磁束は、搬送路と反対側の面を磁場発生部材における搬送路側の面に接触させた磁場集中部材（軟磁性体）により集中されるので、軟磁性体における搬送路側の面の磁束密度が高くなり、搬送路に沿って搬送される用紙に付着した金属性の異物が金属検出手段に近接する場合において、金属性の異物の検出感度を高めることが可能となり、金属性の異物を良好に検出できるものとなる。
そして、磁場発生部材における搬送路と反対側の面（他方の磁極）における磁束は、軟磁性体における搬送路側の面の磁束とほぼ同じ数であり、軟磁性体における搬送路側の面の面積よりも磁場発生部材における搬送路と反対側の面の面積のほうが大きいので、軟磁性体における搬送路側の面の磁束密度に較べて磁場発生部材における搬送路と反対側の面の磁束密度が低くなり、機器に悪影響を及ぼす虞を少なくできる。
したがって、金属性の異物を良好に検出できるようにしながらも、機器に悪影響を及ぼす虞が少ない用紙搬送装置を得るに至った。
【００１０】
本発明の第２特徴構成は、上記第１特徴構成に加えて、前記磁場発生部材を偏平状の硬磁性体により構成することにより、前記磁場発生部材における前記搬送路側の面を一方の磁極にし、かつ、前記搬送路と反対側の面を他方の磁極にしてある点を特徴とする。
【００１１】
すなわち、磁場発生部材を偏平状の硬磁性体により構成するので、省スペース化及び材料コストの削減化を図ることができ、例えば、磁場発生部材を軟磁性体に構成しかつコイル部材に電流を流すのに較べて電流を流すための電源が不要になる等、構成の簡素化を図ることができる。
【００１２】
本発明の第３特徴構成は、上記第１又は第２特徴構成に加えて、前記磁場発生部材を、前記搬送路に沿いかつ前記搬送路における幅方向の両側に亘る長尺状に構成してあり、前記磁場集中部材を、前記磁場発生部材の長手方向に間隔を隔てて複数設けてある点を特徴とする。
【００１３】
すなわち、磁場集中部材を、搬送路における幅方向の両側に亘る長尺状の磁場発生部材の長手方向に間隔を隔てて複数設けてあるので、搬送路に沿って搬送される用紙に付着した金属性の異物を確実に検出することができる。
【００１４】
本発明の用紙搬送装置は、用紙を搬送する搬送路に電磁誘導式の金属検出手段を設けたものであって、その第４特徴構成は、前記金属検出手段を構成するに、一方の磁極を前記搬送路に近接し、かつ、他方の磁極を前記搬送路と反対側に配置してある磁場発生部材と、その磁場発生部材に巻回するコイル部材と、そのコイル部材の誘導起電力を検出する誘導起電力検出手段とを設け、前記磁場発生部材における他方の磁極に接触させる軟磁性体を設け、前記磁場発生部材における前記搬送路側の面の面積よりも前記軟磁性体における前記搬送路と反対側の面の面積のほうを大きくすることにより、前記軟磁性体を前記磁場発生部材の他方の磁極における磁束を分散させる磁場分散部材に構成してある点を特徴とする。
【００１５】
すなわち、磁場発生部材における搬送路側の面（一方の磁極）を搬送路に近接してあるので、磁場発生部材における搬送路側の面の磁束密度が高くなり、搬送路に沿って搬送される用紙に付着した金属性の異物が金属検出手段に近接する場合において、金属性の異物の検出感度を高めることが可能となり、金属性の異物を良好に検出できるものとなる。
そして、磁場発生部材における搬送路と反対側の面（他方の磁極）における磁束は、磁場発生部材における搬送路と反対側の面に接触させる磁場分散部材（軟磁性体）により分散されるので、軟磁性体における搬送路と反対側の磁束密度が低くなり、機器に悪影響を及ぼす虞を少なくできる。
したがって、金属性の異物を良好に検出できるようにしながらも、機器に悪影響を及ぼす虞が少ない用紙搬送装置を得るに至った。
【００１６】
本発明の第５特徴構成は、上記第４特徴構成に加えて、前記磁場分散部材を偏平状に構成し、前記磁場発生部材を硬磁性体により構成するか、又は、前記磁場発生部材を軟磁性体に構成しかつ前記コイル部材に電流を流すことにより、前記磁場発生部材における前記搬送路側の面を一方の磁極にし、かつ、前記搬送路と反対側の面を他方の磁極にしてある点を特徴とする。
【００１７】
すなわち、磁場分散部材を偏平状に構成するので、省スペース化及び材料コストの削減化を図ることができる。加えて、磁場発生部材を硬磁性体により構成する場合には、例えば、磁場発生部材を軟磁性体に構成しかつコイル部材に電流を流すのに較べて電流を流すための電源が不要になる等、構成の簡素化を図ることができ、磁場発生部材を軟磁性体に構成しかつコイル部材に電流を流す場合には、電流の大きさを変えることにより、発生する磁場の大きさを変えることができるので、必要に応じて金属性の異物の検出感度を変更調節することができる。
【００１８】
本発明の第６特徴構成は、上記第１〜第５特徴構成のいずれかに加えて、前記金属検出手段を、前記搬送路の搬送方向に沿って移動可能に構成してある点を特徴とする。
【００１９】
すなわち、前記金属検出手段を、前記搬送路の搬送方向に沿って移動可能に構成してあるので、金属性の異物が金属検出手段に近接しなくても、金属検出手段を移動させることにより、金属性の異物を良好に検出できるものとなる。
【発明を実施するための最良の形態】
【００２０】
〔第１実施の形態〕
以下、本発明に係る用紙搬送装置について、画像形成装置の自動原稿送り装置に適用した場合を例として説明する。
（自動原稿送り装置の構成）
図１に示すように、自動原稿送り装置Ａは、用紙Ｐの搬送方向順に、原稿トレイ１に積載された用紙Ｐを搬出する搬出ローラ２、搬出された用紙Ｐを１枚づつ分離する分離部３、用紙Ｐの先端のスキュー補正を行なうレジストローラ４、大径の搬送ローラ５及びその周囲に配置した小径の搬送ローラ６、それら搬送ローラ５、６にて搬送された用紙Ｐの読み取り操作を行なう接触式イメージセンサ７（ＣＩＳ）、接触式イメージセンサ７にて読み取られた用紙Ｐを排紙トレイ８に排出する排紙ローラ９等を備えており、分離部３とレジストローラ４との間に位置する搬送路Ｂの下側に、長尺状の金属検出手段Ｃが搬送路Ｂの幅方向に沿いかつ搬送路Ｂの全幅に亘って取り付けられている。
【００２１】
（給紙装置の構成）
図２に示すように、前記給紙装置Ｄは、給紙トレイ２４に積載された用紙Ｐを取り出す給紙ローラ２３、取り出された用紙Ｐを搬送する搬送ローラ２５等を備えており、搬送路Ｂにおける搬送ローラ２５の搬送方向下流側に、長尺状の金属検出手段Ｃが搬送路Ｂの幅方向に沿いかつ搬送路Ｂの全幅に亘って取り付けられている。
【００２２】
（金属検出手段の構成）
図３、図４に示すように、前記金属検出手段Ｃを構成するに、搬送路Ｂ側の面１０ａが一方の磁極でありかつ搬送路Ｂと反対側の面１０ｂが他方の磁極である磁場発生部材ＪＨと、搬送路Ｂ側の面１１ａを搬送路Ｂに近接しかつ搬送路Ｂと反対側の面１１ｂを硬磁性体１０における一方の磁極に接触させた軟磁性体１１と、その軟磁性体１１に巻回するコイル部材１２と、そのコイル部材１２の誘導起電力を検出する誘導起電力検出手段ＹＫとを設けてあり、硬磁性体１０における搬送路Ｂと反対側の面１０ｂの面積よりも軟磁性体１１における搬送路Ｂ側の面１１ａの面積のほうを小さくすることにより、軟磁性体１１を硬磁性体１０の一方の磁極における磁束を集中させる磁場集中部材ＪＳに構成してある。
【００２３】
説明を加えると、前記金属検出手段Ｃは、搬送路Ｂ側の面１０ａがＮ極（一方の極）でありかつ搬送路Ｂと反対側の面１０ｂがＳ極（他方の極）である磁場発生部材ＪＨとしてのフェライト磁石製の矩形板状の硬磁性体１０と、その硬磁性体１０における搬送路Ｂ側の面１０ａに硬磁性体１０の長手方向に沿って等間隔を隔てて複数立設された軟鉄製の円筒状の軟磁性体１１と、それら軟磁性体１１の外周部の夫々に巻回されたコイル部材１２と、それらコイル部材１２の両端部に接続された誘導起電力検出手段ＹＫとしての電流計１３等を備えている。そして、軟磁性体１１における搬送路Ｂ側の面１１ａが搬送路Ｂに近接するようにしてある。尚、上面がＮ極（一方の極）でありかつ下面がＳ極（他方の極）である必要は無く、上面がＳ極（他方の極）でありかつ下面がＮ極（一方の極）であってもよい。又、硬磁性体１０は、フェライト磁石だけでなく、アルニコ磁石、サマリウムコバルト磁石、ネオジム磁石等、各種材料が使用でき、軟磁性体１１は、軟鉄だけでなく、アモルファス金属等、各種材料が使用できる。
【００２４】
（金属性の異物を検出する構成）
前記搬送路Ｂに沿って搬送される用紙Ｐに付着したクリップやホッチキス針等の金属性の異物３０が軟磁性体１１における搬送路Ｂ側の面１１ａに近接すると、電磁誘導の法則により金属性の異物３０に渦電流が発生し、その渦電流により発生する磁束の一部が軟磁性体１１の外周部に巻回されたコイル部材１２に鎖交し、コイル部材１２に鎖交する磁束による誘導起電力がコイル部材１２に誘起され、コイル部材１２に電流が流れる。このとき、電流計１３にてコイル部材１２に流れる電流値が設定範囲を超えるか否かを検出することにより、金属性の異物３０の存否を検出できる。したがって、電流計１３が、コイル部材１２に誘起される誘導起電力を検出する誘導起電力検出手段ＹＫを構成する。
【００２５】
このとき、硬磁性体１０における搬送路側の面１０ａの磁束は、搬送路Ｂと反対側の面１１ｂを硬磁性体１０における搬送路Ｂ側の面１０ａに接触させた軟磁性体１１により集中されるので、軟磁性体１１における搬送路Ｂ側の面１１ａの磁束密度が高くなり、金属性の異物３０の検出感度を高めることが可能となる。そして、硬磁性体１０における搬送路Ｂと反対側の面１０ｂにおける磁束は、軟磁性体１１における搬送路Ｂ側の面１１ａの磁束とほぼ同じ数であり、軟磁性体１１における搬送路Ｂ側の面１１ａの面積よりも硬磁性体１０における搬送路Ｂと反対側の面１０ｂの面積のほうが大きいので、軟磁性体１１における搬送路Ｂ側の面１１ａの磁束密度に較べて硬磁性体１０における搬送路Ｂと反対側の面１０ｂの磁束密度が低くなり、硬磁性体１０における搬送路Ｂと反対側の面１０ｂの下方に位置する接触式イメージセンサ７に悪影響を及ぼす虞を少なくできる。さらに、近年の画像形成装置における処理速度の高速化に伴って、用紙Ｐの搬送速度が速くなる場合において、コイル部材１２に鎖交する磁束密度の時間変化も大きくなり、コイル部材１２に誘起される誘導起電力も大きくなるので、金属性の異物３０の検出感度を一層高めることができる。
【００２６】
（異物を検出する制御について）
図５に示すように、搬出ローラ２、分離部３、レジストローラ４、搬送ローラ５、６等を駆動させるモータ等を備えて構成された自動原稿送り装置Ａ側の駆動手段２６、給紙ローラ２３、搬送ローラ２５等を駆動させるモータ等を備えて構成された給紙装置Ｄ側の駆動手段２７、続行及び中止を指令する指令スイッチ２８、異物３０を検出した旨を表示する液晶ディスプレーからなる表示手段２９、自動原稿送り装置Ａ側の電流計１３、給紙装置Ｄ側の電流計１３、自動原稿送り装置Ａ側の電流計１３の検出値、給紙装置Ｄ側の電流計１３の検出値、及び、指令スイッチ２８の指令に基づいて駆動手段２６、２７の駆動及び表示手段２９の作動を制御する制御手段Ｈが設けられ、
制御手段Ｈが、自動原稿送り装置Ａ側の電流計１３又は給紙装置Ｄ側の電流計１３のいずれかの検出値が設定範囲を超えると、金属製の異物３０が存在すると判別して、駆動手段２６、２７の駆動を中止するように構成され、且つ、自動原稿送り装置Ａ側の電流計１３にて自動原稿送り装置Ａ内における異物３０の存在を判別した場合には、表示手段２９により異物３０を検出した旨を表示し、指令スイッチ２８にて続行が指令されると駆動手段２６を駆動させ、指令スイッチ２８にて中止が指令されると駆動手段２６の中止を維持させ、給紙装置Ｄ側の電流計１３にて給紙装置Ｄ内における異物３０の存在を判別した場合には、駆動手段２７の中止を維持させるように構成されている。
【００２７】
説明を加えると、図６に示すように、画像形成装置の電源がＯＮされると、給紙動作が開始される（♯１、♯２）。自動原稿送り装置Ａ側及び給紙装置Ｄ側の電流計１３の検出値が設定範囲内であると、給紙動作が継続される（♯３、♯４）。自動原稿送り装置Ａ側又は給紙装置Ｄ側の電流計１３のいずれかの検出値が設定範囲を超えると、金属製の異物３０が存在すると判別して駆動手段２６、２７の駆動を中止する（♯５）。そして、自動原稿送り装置Ａ側の電流計１３にて異物３０の存在を判別した場合には、表示手段２９が「自動原稿送り装置に異物を検出しました。続行しますか？」という表示を行い、操作する者が指令スイッチ２８にて続行を指令すると駆動手段２６が駆動する（♯６〜♯８、♯４）。操作者が指令スイッチ２８にて中止を指令すると駆動手段２６の中止が維持される（♯８）。そして、給紙装置Ｄ側の電流計１３にて異物３０の存在を判別した場合には、駆動手段２７の中止が維持される（♯６）。
【００２８】
〔第２実施の形態〕
この実施形態では、第１実施形態の構成と異なる構成についてのみ説明し、同じ構成については説明を省略する。
【００２９】
（金属検出手段の構成）
図７に示すように、前記金属検出手段Ｃを構成するに、一方の磁極を搬送路Ｂに近接し、かつ、他方の磁極を搬送路Ｂと反対側に配置してある磁場発生部材ＪＨと、その硬磁性体に巻回するコイル部材１２と、そのコイル部材１２の誘導起電力を検出する誘導起電力検出手段ＹＫとを設け、磁場発生部材ＪＨにおける他方の磁極に接触させる軟磁性体２２を設け、磁場発生部材ＪＨにおける搬送路Ｂ側の面２１ａの面積よりも軟磁性体２２における搬送路Ｂと反対側の面２２ｂの面積のほうを大きくすることにより、軟磁性体２２を硬磁性体２１の他方の磁極における磁束を分散させる磁場分散部材ＪＢに構成してある。
【００３０】
説明を加えると、前記金属検出手段Ｃは、軟鉄製の矩形板状の軟磁性体２２と、その軟磁性体２２における搬送路Ｂ側の面２２ａに軟磁性体２２の長手方向に沿って等間隔を隔てて複数立設された磁場発生部材ＪＨとしてのフェライト磁石製の円筒状の硬磁性体２１と、それら硬磁性体２１の外周部の夫々に巻回されたコイル部材１２と、それらコイル部材１２の両端部に接続された誘導起電力検出手段ＹＫとしての電流計１３等を備えている。硬磁性体２１は、Ｎ極（一方の極）である搬送路Ｂ側の面２１ａを搬送路Ｂに近接させるとともに、Ｓ極（他方の極）である搬送路Ｂと反対側の面２１ｂを軟磁性体２２における搬送路Ｂ側の面２２ａに接触させてある。
【００３１】
（金属性の異物を検出する構成）
前記搬送路Ｂに沿って搬送される用紙Ｐに付着したクリップやホッチキス針等の金属性の異物３０が硬磁性体２１における搬送路Ｂ側の面２１ａに近接すると、電磁誘導の法則により金属性の異物３０に渦電流が発生し、その渦電流により発生する磁束の一部が硬磁性体２１の外周部に巻回されたコイル部材１２に鎖交し、コイル部材１２に鎖交する磁束による誘導起電力がコイル部材１２に誘起され、コイル部材１２に電流が流れる。このとき、電流計１３にてコイル部材１２に流れる電流値が設定範囲を超えるか否かを検出することにより、金属性の異物３０を検出できるものとなる。
【００３２】
このとき、硬磁性体２１における搬送路Ｂ側の面２１ａを搬送路Ｂに近接してあるので、硬磁性体２１における搬送路Ｂ側の面の磁束密度２１ａが高くなり、金属性の異物３０の検出感度を高めることが可能となる。そして、硬磁性体２１における搬送路Ｂと反対側の面２１ｂにおける磁束は、硬磁性体２１における搬送路Ｂと反対側の面２１ｂに接触させる軟磁性体２２により分散されるので、軟磁性体２２における搬送路Ｂと反対側の面２２ｂの磁束密度が低くなり、機器に悪影響を及ぼす虞を少なくできる。
【００３３】
〔別実施の形態〕
（１）上記各実施の形態では、分離部３とレジストローラ４との間に位置する搬送路Ｂの下側に金属検出手段Ｃが取り付けられている構成を例示したが、分離部３とレジストローラ４との間に位置する搬送路Ｂの上側に金属検出手段Ｃが取り付けられている構成や、レジストローラ４と小径の搬送ローラ６との間に位置する搬送路Ｂの上側に金属検出手段Ｃが取り付けられている構成としてもよく、要するに、搬送路Ｂの近くであればどこに取り付けてもよい。又、金属検出手段Ｃの数は１つに限られるものではない。
【００３４】
又、金属検出手段Ｃを搬送路Ｂの搬送方向に沿って移動可能に構成してもよい。これにより、金属性の異物３０が金属検出手段Ｃに近接しなくても、金属検出手段Ｃを移動させることにより、金属性の異物３０を検出できるものとなる。例えば、金属検出手段Ｃを自動原稿送り装置Ａにおける原稿トレイ１の近傍に設けて、金属検出手段Ｃを搬送方向に移動させることで、搬出ローラ２によって搬出される前に原稿トレイ１に積載された用紙Ｐに付着した金属性の異物３０を検出できることができ、画像形成装置が損傷する虞を一層防止できる。
【００３５】
（２）上記各実施の形態では、画像形成装置の自動原稿送り装置Ａ及び給紙装置Ｄの両方に金属検出手段Ｃが取り付けられる構成を例示したが、画像形成装置の自動原稿送り装置Ａだけに金属検出手段Ｃが取り付けられる構成や、画像形成装置の給紙装置Ｄだけに金属検出手段Ｃが取り付けられる構成としてもよい。
【００３６】
（３）上記第１実施の形態では、金属検出手段Ｃが、矩形板状の硬磁性体１０と、その硬磁性体１０における搬送路Ｂ側の面１０ａに硬磁性体１０の長手方向に沿って等間隔を隔てて複数立設された円筒状の軟磁性体１１とを備える構成を例示したが、金属検出手段Ｃが、矩形板状の硬磁性体１０と、その硬磁性体１０における搬送路Ｂ側の面１０ａに硬磁性体１０の長手方向に沿って疎密部分を形成するように間隔を隔てて複数立設された円筒状の軟磁性体１１とを備える構成としたり、金属検出手段Ｃが、矩形板状の硬磁性体１０と、その硬磁性体１０における搬送路Ｂ側の面１０ａに硬磁性体１０の長手方向に沿って千鳥状に複数立設された円筒状の軟磁性体１１とを備える構成としてもよく、あるいは、金属検出手段Ｃが、矩形板状の硬磁性体１０と、その硬磁性体１０における搬送路Ｂ側の面１０ａに立設された１つの円筒状の軟磁性体１１とを備える構成としてもよい。
【００３７】
（４）上記第２実施の形態では、金属検出手段Ｃが、矩形板状の軟磁性体２２と、その軟磁性体２２における搬送路Ｂ側の面２２ａに軟磁性体２２の長手方向に沿って等間隔を隔てて複数立設された円筒状の硬磁性体２１とを備える構成を例示したが、金属検出手段Ｃが、矩形板状の軟磁性体２２と、その軟磁性体２２における搬送路Ｂ側の面２２ａに軟磁性体２２の長手方向に沿って疎密部分を形成するように間隔を隔てて複数立設された円筒状の硬磁性体２１とを備える構成としたり、金属検出手段Ｃが、矩形板状の軟磁性体２２と、その軟磁性体２２における搬送路Ｂ側の面２２ａに軟磁性体２２の長手方向に沿って千鳥状に複数立設された円筒状の硬磁性体２１とを備える構成としてもよく、あるいは、金属検出手段Ｃが、矩形板状の軟磁性体２２と、その軟磁性体２２における搬送路Ｂ側の面２２ａに立設された１つの円筒状の硬磁性体２１とを備える構成としてもよい。
【００３８】
（５）上記第２実施の形態では、磁場発生部材ＪＨを硬磁性体２１により構成することにより、硬磁性体２１における搬送路Ｂ側の面２１ａをＮ極（一方の極）にし、かつ、搬送路Ｂと反対側の面２１ｂをＳ極（他方の極）にする構成を例示したが、磁場発生部材ＪＨを軟磁性体に構成しかつコイル部材１２に電流を流すことにより、軟磁性体における搬送路Ｂ側の面をＮ極（一方の極）にし、かつ、搬送路Ｂと反対側の面をＳ極（他方の極）にしてもよい。
【００３９】
（６）上記第１実施の形態では、軟磁性体１１が円筒状である構成を例示したが、円筒状に限られるものではなく、例えば、角柱状や錐体形状であってもよい。又、硬磁性体１０が矩形板状である構成を例示したが、矩形板状に限られるものではなく、例えば、角柱状であってもよい。要するに、硬磁性体１０における搬送路Ｂと反対側の面１０ｂの面積よりも軟磁性体１１における搬送路Ｂ側の面１１ａの面積のほうを小さくするものであればよい。
【００４０】
（７）上記第２実施の形態では、硬磁性体２１が円筒状である構成を例示したが、円筒状に限られるものではなく、例えば、角柱状や錐体形状であってもよい。又、軟磁性体２２が矩形板状である構成を例示したが、矩形板状に限られるものではなく、例えば、角柱状であってもよい。要するに、軟磁性体２２における搬送路Ｂと反対側の面２２ｂの面積よりも硬磁性体２１における搬送路Ｂ側の面２１ａの面積のほうを小さくするものであればよい。
【００４１】
（８）上記各実施の形態では、用紙搬送装置が画像形成装置に組み込まれる構成を例示したが、これに限られるものではなく、用紙搬送装置が自動読み取り装置（スキャナー）に組み込まれる構成であってもよい。
【図面の簡単な説明】
【００４２】
【図１】第１実施形態における自動原稿送り装置の縦断面図
【図２】第１実施形態における給紙装置の縦断面図
【図３】第１実施形態における金属検出手段が異物を検出する作用を示す図
【図４】第１実施形態における金属検出手段が異物を検出する作用を示す図
【図５】第１実施形態における制御ブロック図
【図６】第１実施形態におけるフローチャート図
【図７】第２実施形態における金属検出手段が異物を検出する作用を示す図
【符号の説明】
【００４３】
１０          硬磁性体
１０ａ        搬送路側の面
１０ｂ        搬送路と反対側の面
１１          軟磁性体
１１ａ        搬送路側の面
１１ｂ        搬送路と反対側の面
１２          コイル部材
２１          硬磁性体
２１ａ        搬送路側の面
２２          軟磁性体
２２ｂ        搬送路と反対側の面
Ｂ            搬送路
Ｃ            金属検出手段
ＪＨ          磁場発生部材
ＪＳ          磁場集中部材
ＪＢ          磁場分散部材
Ｐ            用紙
ＹＫ          誘導起電力検出手段
【図１】
2009166952.tif 000003
【図２】
2009166952.tif 000004
【図３】
2009166952.tif 000005
【図４】
2009166952.tif 000006
【図５】
2009166952.tif 000007
【図６】
2009166952.tif 000008
【図７】
2009166952.tif 000009